(57)【要約】【課題】本考案は光源体に簡単、着実に装着でき、光触媒の温度上昇を防いで高い浄化能力が得られる断熱材付光触媒浄化具を提供する。【解決手段】本考案は、光源体の発光部から所定間隔を保ちつつ前記発光部全体を被う形状又は前記発光部の一部分を被う部分形状に成形した担体に光触媒を担持して作成した光触媒浄化具の内側又は側面に、前記光触媒浄化具から前記発光部に到達する長さの断熱部材を少なくとも１つ固定することにより、光源体に簡単、着実に装着でき、光触媒浄化具の温度上昇を防いで高い浄化能力が得られる。また、前記断熱部材の少なくとも１つを断熱材で作成されたクリップとすることにより、重力、風、振動等によるずれや脱落を防げる。【選択図】図１
0003109940.tif 000002
【実用新案登録請求の範囲】
【請求項１】
光源体の発光部から所定間隔を保ちつつ前記発光部全体を被う形状又は前記発光部の一部分を被う部分形状に成形した担体に光触媒を担持して作成した光触媒浄化具の内側又は側面に、前記光触媒浄化具から前記発光部に到達する長さの断熱部材を少なくとも１つ固定したことを特徴とする断熱材付光触媒浄化具。
【請求項２】
前記断熱部材の少なくとも１つが断熱材で作成されたクリップであることを特徴とする請求項１に記載の断熱材付光触媒浄化具。
【請求項３】
前記クリップが、断熱材で作成された一対の挟持片の中間部に係合部を、後部に把持部を、先部にそれぞれ対向面側が凹状に湾曲し、且つ、前記光触媒浄化具から前記発光部に到達する長さと同じ厚みを持つ挟持部を有し、一対の前記挟持片の係合部同士を開閉揺動自在に係合するとともに、それぞれの挟持片に形成された長穴にＣ字状に形成された丸ばねを挿通し、前記丸ばねで前記挟持片の挟持部同士が閉じる方向で、且つ、前記挟持片の係合部が係合する方向へ押圧附勢して構成されており、前記クリップの一方の挟持片の挟持部を、前記光触媒浄化具の内側又は側面に固定して光源体に着脱自在としたことを特長とする請求項２に記載の断熱材付光触媒浄化具。
【請求項４】
前記光触媒浄化具が、光源体の発光部から所定間隔を保ちつつ前記発光部全体を被う形状又は前記発光部の一部分を被う部分形状に成形した担体を飾記発光部を挟み込めるように２分割した２分割担体に光触媒を担持して作成した２分割光触媒浄化具であり、前記クリップが、断熱材で作成された一対の挟持片の中間部に係合部を、後部に把持部を、先部にそれぞれ対向面側が凹状に湾曲し、且つ、前記２分割光触媒浄化具から前記発光部に到達する長さと同じ厚みを持つ挟持部を有し、一対の前記挟持片の係合部同士を開閉揺動自在に係合するとともに、それぞれの挟持片に形成された長穴にＣ字状に形成された丸ばねを挿通し、前記丸ばねで前記挟持片の挟持部同士が閉じる方向で、且つ、前記挟持片の係合部が係合する方向へ押圧附勢して構成されており、前記クリップの一対の挟持片の挟持部に前記２分割光触媒浄化具をそれぞれ固定して前記発光部を挟み込み可能で、且つ、前記光源体に着脱自在としたことを特徴とする請求項２に記載の断熱材付光触媒浄化具。
【考案の詳細な説明】
【技術分野】
【０００１】  本考案は、蛍光ランプ、電球、ＨＩＤランプ等の光源体に直接取り付けて空気を浄化する断熱材付光触媒浄化具に関するものである。
【背景技術】
【０００２】  光触媒は、光が照射されると活性化し、有機物等を酸化分解することが知られている。通常、光触媒は特開平５−２９３１６５号公報等に記載されている様に空気浄化装置に光源とともに組み込むか、特開２００４−２６９８９８号公報等に記載されているように塗料化して壁面等に塗布したり、特開平９−１２９１８４号公報等に記載されている様に蛍光ランプ表面等にコーティングする方法が取られている。しかし、空気浄化装置に組み込む場合は装置が複雑となる欠点があり、塗料化して塗布する場合は手間と費用が掛かる欠点があり、蛍光ランプ表面にコーティングする場合は蛍光ランプが切れるたびに取り替えなくてはならず不経済となる欠点があった。本考案者はこれらの欠点を解決するため、手軽で経済的で高浄化能が得られる手法として実用新案登録第３１０６３９７号に光源体の発光部全体に沿った形状又は発光部の一部分に沿った部分形状に成形した担体に光触媒を担持して、光源体に直接取り付けて空気浄化を行う接触装着型光触媒浄化具を記載した。
【考案の開示】
【考案が解決しようとする課題】
【０００３】  本考案者は鋭意研究の結果、光触媒の浄化率は、酸化分解する有機化合物の種類等にもよるが、光触媒の温度が５５℃以上の高温になると浄化率が著しく低下し始め、光触媒の温度が１００℃以上の高温になると浄化率が激減することを見出した。図１７に、光触媒温度を変化させたときのトルエン浄化率を示す。測定には、光触媒６ｇを担持した金属繊維不織布（７ｃｍ×７ｃｍ×６ｍｍ）に温度調節機能付きヒーターを取り付けたものを容積２０ｌの循環式ガラス密閉容器に入れ、この光触媒担持金属繊維不織布に外部より紫外線ランプにて出力１．２Ｗの紫外線を照射できるようにした反応装置を用いた。この反応装置にトルエン濃度１００ｐｐｍの空気を封入して循環させ、浄化率の測定は、紫外線を１０分照射した後、ガステック製検知管にて反応装置内のトルエン濃度を測定して浄化率測定を行った。この浄化率測定を光触媒温度を変えて行った。【０００４】  浄化率が低下する理由はまだ明確ではないが、光触媒表面上の水の吸着低下により光触媒反応時に重要な役割を果たすヒドロキシラジカルの生成が低下する事や、揮発性有機化合物等の被浄化物質の光触媒表面上への吸着低下、温度の上昇による光触媒の電子状態の変化などが考えられる。前述の接触装着型光触媒浄化具も５５℃以上の高温になると浄化率が著しく低下し、本来の性能を発揮できないことを見出した。また、前述の接触装着型光触媒浄化具は重力や風、振動等によりずれたり脱落する欠点があった。従って、本考案は、光触媒浄化具に断熱部材を取り付けることにより、光源体からの熱の伝わりを防ぎ、また、断熱材で作成したクリップを取り付けることにより前述の欠点を解決しようとするものである。
【課題を解決するための手段】
【０００５】  上記課題を解決する本考案は、以下の技術的手段から構成される。
（１）光源体の発光部から所定間隔を保ちつつ前記発光部全体を被う形状又は前記発光部の一部分を被う部分形状に成形した担体に光触媒を担持して作成した光触媒浄化具の内側又は側面に、前記光触媒浄化具から前記発光部に到達する長さの断熱部材を少なくとも１つ固定したことを特徴とする断熱材付光触媒浄化具。
（２）前記断熱部材の少なくとも１つが断熱材で作成されたクリップであることを特徴とする前記（１）に記載の断熱材付光触媒浄化具。
（３）前記クリップが、断熱材で作成された一対の挟持片の中間部に係合部を、後部に把持部を、先部にそれぞれ対向面側が凹状に湾曲し、且つ、前記光触媒浄化具から前記発光部に到達する長さと同じ厚みを持つ挟持部を有し、一対の前記挟持片の係合部同士を開閉揺動自在に係合するとともに、それぞれの挟持片に形成された長穴にＣ字状に形成された丸ばねを挿通し、前記丸ばねで前記挟持片の挟持部同士が閉じる方向で、且つ、前記挟持片の係合部が係合する方向へ押圧附勢して構成されており、前記クリップの一方の挟持片の挟持部を、前記光触媒浄化具の内側又は側面に固定して光源体に着脱自在としたことを特長とする前記（２）に記載の断熱材付光触媒浄化具。
（４）前記光触媒浄化具が、光源体の発光部から所定間隔を保ちつつ前記発光部全体を被う形状又は前記発光部の一部分を被う部分形状に成形した担体を前記発光部を挟み込めるように２分割した２分割担体に光触媒を担持して作成した２分割光触媒浄化具であり、前記クリップが、断熱材で作成された一対の挟持片の中間部に係合部を、後部に把持部を、先部にそれぞれ対向面側が凹状に湾曲し、且つ、前記２分割光触媒浄化其から前記発光部に到達する長さと同じ厚みを持つ挟持部を有し、一対の前記挟持片の係合部同士を開閉揺動自在に係合するとともに、それぞれの挟持片に形成された長穴にＣ字状に形成された丸ばねを挿通し、前記丸ばねで前記挟持片の挟持部同士が閉じる方向で、且つ、前記挟持片の係合部が係合する方向へ押圧附勢して構成されており、前記クリップの一対の挟持片の挟持部に前記２分割光触媒浄化具をそれぞれ固定して前記発光部を挟み込み可能で、且つ、前記光源体に着脱自在としたことを特徴とする前記（２）に記載の断熱材付光触媒浄化具。【０００６】  光源体とは、蛍光ランプ、電球、ＨＩＤランプ等を指すが、蛍光ランプには電球形蛍光ランプ、電球にはハロゲンランプ等が含まれる。光源体の発光部とは光が放射されている部分を指し、蛍光ランプの場合は蛍光ランプのガラス管部又はグローブ部を指し、電球の場合は電球のガラス球部を指し、ＨＩＤランプの場合はＨＩＤランプの外管部を指す。コンパクト形蛍光ランプや電球形蛍光ランプの様にガラス管をスパイラル状に巻き込んだり、Ｕ字形に折りたたんだり、ブリッジ技術で結合させたり、又は、これらを複数個束ねて一体化させて用いる場合は一体化させたガラス管全体を１つの発光部と見なす。ＬＥＤの発光部とは、発光ダイオード表面に被せてある透光性カバー又はレンズを指す。ＬＥＤを複数個束ねて一体化させて用いる場合は、全体を１つの光源体と見なす。
【考案の効果】
【０００７】  上述の様に、本考案の断熱材付光触媒浄化具は、光源体からの光を十分に受けて高い浄化能を発揮し、断熱材を内側に設けることにより光源体からの熱の伝わりを防いで浄化能低下を防ぐことができる。また、断熱材付光触媒浄化具にクリップを設けることにより、重力や風、振動等によるずれや脱落を防止し、確実で簡単に着脱することができる。これにより、通常の照明器具でも、光源体に本考案の断熱材付光触媒浄化具を取り付けることにより簡単で確実に高い浄化効果を得ることができる。しかも、光源体を取り替えるときは本考案の断熱材付光触媒浄化具を取り外して新しい光源体に取り付ければよいため、経済的である。
【考案を実施するための最良の形態】
【０００８】  本考案の断熱材付光触媒浄化具に用いる担体には、金属、セラミックス、ガラス、樹脂又はゴム等で作成された布、不織布、ハニカム、コルゲート、スポンジ状物又は貫通孔を有する構造体等を用いることができる。このような担体に担持する光触媒には、酸化チタン、酸化チタンに他の金属若しくは化合物を複合した光触媒、その他の半導体光触媒又は可視光活性化を示す光触媒等を用いることができる。これらの光触媒を担体に担持する方法としては、酸化チタン等の光触媒をＣＶＤコーティングする方法や、無機、有機又は無機有機複合のコーティング剤に光触媒を分散させたコーティング剤を用いる方法、シュウ酸チタンアンモニウム等の前駆体をコーティング後焼成して光触媒の担持を行う方法等がある。担体が樹脂又はゴムの場合は光触媒成分を含まない無機コーティング剤であらかじめアンダーコートを行った後に光触媒担持を行うのが好ましい。【０００９】  断熱部材に用いる断熱材には、樹脂、ゴム、断熱セラミックス、耐熱処理木材、耐熱処理紙等や、ガラス繊維やセラミックス繊維を焼結した断熱素材、又は、雲母、バーミキュライト等の断熱性の高い鉱物等を用いることができる。樹脂やゴムは、光源体の熱でも溶けたり劣化しないものが好ましい。断熱部材は長さと熱伝導率を調節して、光触媒浄化具の温度が５０℃以下になるようにする必要がある。断熱部材は必要な個数取り付けることができ、大きさも任意であるが、光触媒浄化具の浄化能が低下しない程度の大きさや個数が好ましい。断熱部材が、使用する光触媒が活性化する波長の光に対して透明で、且つ、多孔質で通気性がある場合は、光触媒浄化具の浄化率低下を招かないため光触媒浄化具の内側全面を覆っていてもかまわない。【００１０】  クリップに用いる断熱材は、光源体を挟持できる程度の強度が必要であるが、ゴム等の様に強度が低いものは他の強度が高い断熱材と複合化することも可能である。クリップの構造は前記（３）又は前記（４）に記載した構造以外でも良い。クリップを光触媒浄化具に取り付けるときは、クリップの開閉の邪魔にならないように取り付けることが必要である。
【実施例１】
【００１１】  以下、添付図面に従って、実施例を説明する。
実施例１に、蛍光ランプに装着する場合の断熱材付光触媒浄化具の一例を示す。図１は実施例１の斜視図、図２は正面図、図３は図２のＡ−Ａ線断面図、図４は蛍光ランプに装着した状態を示す斜視図を示す。光触媒浄化具２は、アルミニウム金属繊維不織布を蛍光ランプ１０の発光部１１から所定間隔を保ちつつ前記発光部１１全体を被う形状に成形した担体に、酸化チタン光触媒を担持して作成した。金属繊維不織布に用いる金属にはアルミニウム以外にもステンレス等を用いることができる。酸化チタン光触媒の担持には、イソプロピルアルコール１ｌにオルト珪酸テトラエチル０．０１ｍｏｌとチタンテトライソプロポキシド０．０１ｍｏｌを混合した溶液に平均粒径６ｎｍのアナターゼ型酸化チタン粉末２００ｇを分散させた酸化チタン粉末分散溶液を作成し、担体に前記分散溶液を噴霧塗布した後、２００℃で焼成することにより酸化チタン光触媒の担持を行った。この光触媒浄化具２の内側に、前記光触媒浄化具２から前記発光部１１に到達する長さの円柱状断熱部材を六つ固定して断熱材付光触媒浄化具を作成した。前記断熱部材にはシリコン樹脂を用いたが、これ以外にもテフロン等も用いることができる。
【実施例２】
【００１２】実施例２に、蛍光ランプに装着する場合の断熱材付光触媒浄化具の別の例を示す。図５は実施例２の斜視図、図６は正面図、図７は図６のＢ−Ｂ線断面図、図８は蛍光ランプに装着した状態を示す斜視図を示す。実施例２は、金属繊維不織布を蛍光ランプ１０の発光部１１から所定間隔を保ちつつ前記発光部１１の一部分を被う部分形状に成形した担体に光触媒を担持して光触媒浄化具２２を作成した以外は実施例１と同様に断熱材付光触媒浄化具を作成した。
【実施例３】
【００１３】実施例３に、光触媒浄化具３２にクリップ３４と断熱部材を取り付けた場合の断熱材付光触媒浄化具の一例を示す。図９は実施例３の斜視図、図１０は側面図、図１１は図１０のＣ−Ｃ線断面図、図１２は蛍光ランプに装着した状態を示す斜視図を示す。光触媒浄化具３２は、金属繊維不織布を蛍光ランプの発光部１１から所定間隔を保ちつつ前記発光部１１の一部分を被う部分形状に成形した担体に、酸化チタン光触媒を担持して作成した。前記光触媒浄化具３２の内側に、前記光触媒浄化具３２から前記発光部１１に到達する長さの円柱状断熱部材を二つ固定し、さらに、クリップ３４の一方の挟持片３５ｂの挟持部を、前記光触媒浄化具３２の内側に固定して蛍光ランプ等の光源体に着脱自在とした。クリップ３４は、断熱材で作成された一対の挟持片の中間部に係合部を、後部に把持部を、先部にそれぞれ対向面側が凹状に湾曲し、且つ、前記光触媒浄化具３２から前記発光部１１に到達する長さと同じ厚みを持つ挟持部を有し、一対の前記挟持片の係合部同士を開閉揺動自在に係合するとともに、それぞれの挟持片に形成された長穴にＣ字状に形成された丸ばねを挿通し、前記丸ばねで前記挟持片の挟持部同士が閉じる方向で、且つ、前記挟持片の係合部が係合する方向へ押圧附勢して構成されている。クリップ３４に用いる断熱材にはポリカーボネートを用いたが、これ以外にもテフロン、シリコン樹脂又はケブラー繊維複合化樹脂等も用いることができる。
【実施例４】
【００１４】  実施例４に、クリップ４４の一対の挟持片の挟持部に２分割光触媒浄化具４２ａ、４２ｂをそれぞれ固定した場合の断熱材付光触媒浄化其の一例を示す。図１３は実施例４の斜視図、図１４は側面図、図１５は図１４のＤ−Ｄ線断面図、図１６は蛍光ランプに装着した状態を示す斜視図を示す。前記２分割光触媒浄化具４２ａ、４２ｂは、蛍光ランプの発光部１１から所定間隔を保ちつつ前記発光部１１の一部分を被う部分形状に成形した担体を前記発光部１１を挟み込めるように２分割した２分割担体に光触媒を担持して作成し、前記クリップ４４の一対の挟持片の挟持部に前記２分割光触媒浄化具４２ａ、４２ｂをそれぞれ固定して蛍光ランプ等の光源体に着脱自在とした。クリップ４４は実施例３と同様のものを用いた。
【図面の簡単な説明】
【００１５】
【図１】本考案の断熱材付光触媒浄化具の実施例１の斜視図。
【図２】本考案の断熱材付光触媒浄化具の実施例１の正面図。
【図３】図２のＡ−Ａ線断面図。
【図４】実施例１の断熱材付光触媒浄化具を蛍光ランプに装着した状態を示す斜視図。
【図５】本考案の断熱材付光触媒浄化其の実施例２の斜視図。
【図６】本考案の断熱材付光触媒浄化具の実施例２の正面図。
【図７】図６のＢ−Ｂ線断面図。
【図８】実施例２の断熱材付光触媒浄化具を蛍光ランプに装着した状態を示す斜視図。
【図９】本考案の断熱材付光触媒浄化具の実施例３の斜視図。
【図１０】本考案の断熱材付光触媒浄化具の実施例３の側面図。
【図１１】図１０のＣ−Ｃ線断面図。
【図１２】実施例３の断熱材付光触媒浄化具を蛍光ランプに装着した状態を示す斜視図。
【図１３】本考案の断熱材付光触媒浄化具の実施例４の斜視図。
【図１４】本考案の断熱材付光触媒浄化具の実施例４の側面図。
【図１５】図１４のＤ−Ｄ線断面図。
【図１６】実施例４の断熱材付光触媒浄化具を蛍光ランプに装着した状態を示す斜視図。
【図１７】光触媒温度を変化させたときのトルエン浄化率変化を示す図。
【符号の説明】
【００１６】１  断熱材付光触媒浄化具
２  光触媒浄化具
３ａ、３ｂ、３ｃ，３ｄ，３ｅ  断熱部材
５  光触媒浄化具の内側
６  光触媒浄化具の側面
１０  蛍光ランプ
１１  蛍光ランプの発光部
２１  断熱材付光触媒浄化具
２２  光触媒浄化具
２３ａ、２３ｂ、２３ｃ、２３ｄ、２３ｅ、２３ｆ  断熱部材
３１  断熱材付光触媒浄化具
３２  光触媒浄化其
３３ａ、３３ｂ  断熱部材
３４  クリップ
３５ａ、３５ｂ  挟持片
３６ａ、３６ｂ  挟持部
３７  係合部
３８ａ、３８ｂ  把持部
３９  丸ばね
３０ａ、３０ｂ  長穴
４１  断熱材付光触媒浄化具
４２ａ、４２ｂ  ２分割光触媒浄化具
４４  クリップ
４５ａ、４５ｂ  挟持片
４６ａ、４６ｂ  挟持部
４７  係合部
４８ａ、４８ｂ  把持部
４９  丸ばね
４０ａ、４０ｂ  長穴
【図１】
0003109940.tif 000003
【図２】
0003109940.tif 000004
【図３】
0003109940.tif 000005
【図４】
0003109940.tif 000006
【図５】
0003109940.tif 000007
【図６】
0003109940.tif 000008
【図７】
0003109940.tif 000009
【図８】
0003109940.tif 000010
【図９】
0003109940.tif 000011
【図１０】
0003109940.tif 000012
【図１１】
0003109940.tif 000013
【図１２】
0003109940.tif 000014
【図１３】
0003109940.tif 000015
【図１４】
0003109940.tif 000016
【図１５】
0003109940.tif 000017
【図１６】
0003109940.tif 000018
【図１７】
0003109940.tif 000019